(57)【要約】【課題】一つのカード媒体にセキュリティ情報コードが一体となっていて、かつ高度なセキュリティが確保でき、カード媒体とそれに対応するセキュリティ情報コード等の管理保管に煩雑さのないセキュリティ情報記録媒体の提供にある。【解決手段】磁気記録層１１を有するプラスチックカード媒体上に、該カード固有のセキュリティ情報コード１２が印字され、該セキュリティ情報コード１２と磁気記録層の磁気記録情報が対応しているセキュリティ情報記録媒体１であって、前記セキュリティ情報コード１２を覆うように保護層１３を介してスクラッチ隠蔽層２０が施されているセキュリティ情報記録媒体１としたものである。【選択図】図２
2004058482.tif 000002
【特許請求の範囲】
【請求項１】
磁気記録層を有するプラスチックカード媒体上の所定の位置に、該カード固有のセキュリティ情報コードが印字され、該セキュリティ情報コードと前記磁気記録層の磁気記録情報が対応しているセキュリティ情報記録媒体であって、前記セキュリティ情報コードを覆うように保護層を介してスクラッチ隠蔽層が施されていることを特徴とするセキュリティ情報記録媒体。
【請求項２】
上記保護層は易剥離性を有する易剥離剤で形成されていることを特徴とする請求項１記載のセキュリティ情報記録媒体。
【発明の詳細な説明】
【０００１】
【発明の属する技術分野】
本発明は、磁気記録層を有するプラスチックカード媒体に関するものであり、特にキャッシュカード等セキュリティ情報コード（番号等）を必要とするセキュリティ情報記録媒体に関する。
【０００２】
【従来の技術】
近年の情報技術の進歩に伴い、金融関係のサービスの向上が顕著であり、その一つとして、テレホンバンキングやインターネット（パソコン）バンキングなどがある。このサービスは、従来、例えば銀行窓口（銀行端末）で行われていた残高照会や振込み（振替え）を電話やパソコンを使って自宅等にいながら行うことのできるものである。そこでこのようなサービスでは、銀行口座を所有する本人か否かを確認する方法が非常に重要なことで、従来（銀行窓口処理では）、銀行口座に対応した通帳かキャッシュカードを本人が所有し、銀行窓口でのチェック確認か、あるいは端末機にてキャッシュカードの磁気記録情報と暗証番号の確認によって、本人確認と銀行口座の特定を行うシステムとなっていた。
【０００３】
しかし、上記テレホンバンキングやインターネットバンキングでは、上記のような通帳のチェック確認やキャッシュカードの磁気記録情報と暗証番号の確認は限りなく不可能のため、以下のような手段を取らざるを得なかった。
即ち、本人確認の手段としてセキュリティ（暗証）情報コードを用いる方法で、このセキュリティ情報コードは、銀行口座に対応した利用者毎に割り振られたコード文字列（数字）を銀行側と利用者に同じものを保管して、このコードを電話やインターネットでチェック確認することによって本人確認がなされるものである。
【０００４】
上記セキュリティ情報コードについて、さらに詳しく説明すると、このセキュリティ情報コードは、１０〜２０程度の文字列（数字）で構成されていて、銀行口座番号と対応したコードである必要があり、従ってこれらセキュリティ情報コードは、口座所有の本人以外に知られると、それを知った他の第３者が銀行口座の残高（額）を操作するなど重大な不正行為が発生する危惧があるため、このセキュリティ情報コードは非常に高度なセキュリティ性を有するものとなる。そこでこのセキュリティ情報コードを銀行口座の所有者に発行するに際し、セキュリティ情報コード（文字列）の量を多くし、またこのセキュリティ情報コードと銀行口座番号を同一媒体上に形成しないなどの工夫で対応している。あるいはまた、このセキュリティ情報コードは、一般的に各口座番号に対応した不特定な可変セキュリティ情報コードをコンピュータで演算して帳票に出力し、これを銀行口座の所有者に発行するもので、一般的にはこのセキュリティ情報コードは他の第３者が目視で簡単に確認することはできるが、このセキュリティ情報コードに対応する銀行口座番号は特定できないというシステムもあった。
【０００５】
【発明が解決しようとする課題】
しかしながら、上記テレホンバンキングやインターネットバンキングなどにおける従来の本人確認の手段においては、上記のように高度なセキュリティ性の確保のため非常に煩雑であることに加え、特に複数の銀行口座の媒体（キャッシュカード）とそのセキュリティ情報コードの管理保管ではより煩雑となるという問題点があり、高度なセキュリティが確保され、その管理保管に煩雑さのないセキュリティ情報記録媒体が要望されていた。
【０００６】
本発明は、かかる従来の上記テレホンバンキングやインターネットバンキングにおける問題点とその要望点を解決するものであり、その課題とするところは、一つの銀行口座の媒体にセキュリティ情報コードが一体となっていて、しかも高度なセキュリティが確保でき、カード媒体やそれに対応するセキュリティ情報コード等の管理保管に煩雑さのないセキュリティ情報記録媒体を提供することにある。
【０００７】
【課題を解決するための手段】
本発明に於いて上記課題を達成するために、まず請求項１の発明では、磁気記録層を有するプラスチックカード媒体上の所定の位置に、該カード固有のセキュリティ情報コードが印字され、該セキュリティ情報コードと前記磁気記録層の磁気記録情報が対応しているセキュリティ情報記録媒体であって、前記セキュリティ情報コードを覆うように保護層を介してスクラッチ隠蔽層が施されていることを特徴とするセキュリティ情報記録媒体としたものである。
【０００８】
上記請求項１の発明によれば、プラスチックカード媒体上に磁気記録層の口座番号等磁気記録情報とそれに対応するカード固有のセキュリティ情報コードが印字によって施されていて、一つのカード媒体に一体化されているので、カード媒体とそれに対応するセキュリティ情報コードの管理保管に煩雑さがなく、かつそのセキュリティ情報コードは保護層を介してスクラッチ隠蔽層で隠蔽されているので、利用者本人に届く以前でのセキュリティの確保に万全なセキュリティ情報記録媒体とすることができる。
【０００９】
また、請求項２の発明では、上記保護層は易剥離性を有している易剥離剤で形成されていることを特徴とする請求項１記載のセキュリティ情報記録媒体としたものである。
【００１０】
上記請求項２の発明によれば、セキュリティ情報コードを覆っている保護層を易剥離性を有している易剥離剤で形成されていることによって、口座を所有する本人がセキュリティ情報コードの視認に際しスクラッチ隠蔽層のスクラッチオフ（引っ掻き落とす）がより容易に確実になるセキュリティ情報記録媒体とすることができる。
【００１１】
【発明の実施の形態】
以下本発明の実施の形態を図面を用いながら詳細に説明する。
【００１２】
図１は、本発明のセキュリティ情報記録媒体の平面図であり、図２は、図１ののＡ−Ａ面を表す側断面積層図である。
【００１３】
そこで上記請求項１に係る発明は、図１および図２に示すように、例えば白色プラスチックシートを基材（１０）とし、その両面にオーバーシート（１６）がラミネートされているプラスチックカード上に磁気記録層（１１）が施されていて、この磁気記録層（１１）の磁気記録情報の一つとして口座番号や氏名等ＩＤ情報部（１４）がエンボスで設けられている。
【００１４】
上記磁気記録層（１１）とエンボスでなるＩＤ情報部（１４）を除いた表面の位置に、このカード固有のセキュリティ情報コード（１２）が印字され、このセキュリティ情報コード（１２）と前記磁気記録層（１１）の磁気記録情報の一つである口座番号等でなるＩＤ情報部（１４）が対応しているセキュリティ情報記録媒体（１）であって、さらにこのセキュリティ情報コード（１２）を覆うように保護層（１３）が施され、この保護層（１３）上にスクラッチ隠蔽層（２０）が施されているセキュリティ情報記録媒体（１）である。上記白色の基材（１０）の表面上に絵柄等の印刷でなる絵柄印刷層（１５）が施されているのが一般的である。
【００１５】
上記セキュリティ情報コード（１２）は、図３の側断面積層図に示すように、例えば白色のプラスチック基材（１０）の裏面のオーバーシート（１６）上に印字で設けてもよいが、表面のエンボスでなるＩＤ情報部（１４）に相当する位置を避けた方がよく、かつ裏面の注意事項等の印刷部（図示せず）に支障のない部分（位置）に設ける必要がある。
【００１６】
上記のような請求項１に係る発明によれば、図２に示すように、一つのプラスチックカード上に磁気記録層（１１）の磁気記録情報の一つである口座番号等でなるＩＤ情報部（１４）とそれに対応するセキュリティ情報コード（１２）とが一体化されているので、それらカード媒体とセキュリティ情報コード（１２）の管理と保管に煩雑さがないセキュリティ情報記録媒体（１）とすることができるものである。
【００１７】
さらにそのセキュリティ情報コード（１２）は保護層（１３）を介してスクラッチ隠蔽層（２０）で隠蔽されているので、カードの利用者本人に届くまでのセキュリティの確保に万全なセキュリティ情報記録媒体（１）とすることができ、従来のように発行側におけるセキュリティ情報コードの発行にダイレクトメール等で利用者に発送する運用業務をも削減できるメリットを有するセキュリティ情報記録媒体（１）である。
【００１８】
また上記のような請求項２に係る発明によれば、図２に示すように、セキュリティ情報コード（１２）を覆っている保護層（１３）を易剥離性を有している易剥離剤によって形成されていることによって、口座を所有する本人がこのセキュリティ情報コード（１２）を視認するに際し、保護層（１３）上に設けられたスクラッチ隠蔽層（２０）のスクラッチオフ（引っ掻き落とす）で剥離がより容易になり、さらにセキュリティ情報コード（１２）をスクラッチオフから保護しているセキュリティ情報記録媒体（１）とすることができる。
【００１９】
以下に本発明のセキュリティ情報記録媒体（１）を構成する材料や作成方法等を説明する。
まずプラスチックシートでなる基材（１０）としては、例えば酸化チタン等白色顔料が分散している厚さ０．５４〜０．６０ｍｍ程度の成形性（エンボス適性を含む）に優れる塩化ビニル樹脂あるいは非晶質（非結晶性）のポリエチレンテレフタレート（Ａ−ＰＥＴ）樹脂等が挙げられ、このＡ−ＰＥＴの中でもポリマー製造に際しグリコールを使用した総称エチレン−シクロキシレンジメチレンテレフタレートと呼ばれるＰＥＴ−Ｇ（イーストマン社製）が耐熱性と成形性の点から好適に使用することができる。
【００２０】
また、上記白色の基材（１０）の両面にラミネートされるオーバーシート（１６）としては、例えば基材（１０）が白色塩化ビニル樹脂の場合は、厚さ０．１ｍｍ程度の透明な塩化ビニルフィルムが挙げられ、また基材（１０）がＡ−ＰＥＴ樹脂（ＰＥＴ−Ｇ）の場合は、例えば厚さ０．１ｍｍ程度のポリアクリレートとポリエステル−ポリカーボネートの透明なブレンド樹脂フィルムが挙げられ、カードの用途等に応じて基材（１０）とともに適宜選定される。
【００２１】
また、上記本発明のセキュリティ情報記録媒体（１）に係るセキュリティ情報コード（１２）の印字には、個別情報を瞬時に印字できる方法であれば特に限定するものではないが、例えばサーマルヘッドによる昇華リボン転写法、熱溶融リボン転写法あるいはインキジェット法、レーザー等によるトナー転写法、ドットインパクト法等で形成されるが、前者の昇華リボン転写法または熱溶融リボン転写法が瞬時でかつ接着性や各種耐性等に優れるなどの点からより好適な方法として適用される。
【００２２】
上記昇華リボン転写法は、例えば厚さ６μｍ程度のポリエチレンテレフタレートフィルムに、昇華性染料（イエロー、マゼンタ、シアン及び三色混合の墨）を各々ポリビニルブチラール樹脂に分散させたインキをグラビア法等で適宜間隔にて塗布された昇華性転写リボンを用い、その昇華性転写リボンにカードプリンター等のサーマルヘッドを接触させて上記のオーバーシート（１６）上に個人情報であるセキュリティ情報コード（１２）を瞬時に転写して印字する方法であり、さらにこの転写印字を容易にするため、例えば塩化ビニル−酢酸ビニル共重合樹脂等をオーバーシート（１６）上に部分塗布した受像層（図示せず）を設けることもできる。
【００２３】
また、上記熱溶融リボン転写法は、例えば厚さ６μｍ程度のポリエチレンテレフタレートフィルムに、各色の着色顔料（イエロー、マゼンタ、シアン及び墨）を各々アクリル樹脂、塩化ビニル−酢酸ビニル共重合樹脂、ポリエステル樹脂、あるいはエポキシ樹脂のいずれか、あるいはこれら２乃至３種の混合樹脂に分散させたインキをグラビア法等で適宜間隔にて塗布された熱溶融転写リボンを用い、以下前記の昇華リボン転写法と同様にしてセキュリティ情報コード（１２）を瞬時に転写して印字する方法である。
【００２４】
また、上記セキュリティ情報コード（１２）を覆うように形成される保護層（１３）としては、スクラッチ隠蔽層（２０）のスクラッチオフ性の確保とこのセキュリティ情報コード（１２）の保護を兼ねて設けられるもので、３〜１０μｍの盛り量で例えばポリウレタン／アクリル樹脂、ポリアミド樹脂、ニトロセルロース樹脂に添加剤としてシリコンやワックス（ポリエチレンワックス等）を５％以下添加したものをスクリーン印刷、グラビア印刷方式等で部分塗布により得られるものである。
【００２５】
また、上記セキュリティ情報記録媒体（１）を構成するスクラッチ隠蔽層（２０）としては、例えば凝集破壊（団塊）性のあるＳＢＲ、ＮＢＲ等ゴム系樹脂を主体としたインキを用いて３〜１０μｍの厚さにスクリーン印刷方式等で部分塗布して得られ、隠蔽性を保持させるために前記の樹脂にアルミニウム粉末等を添加した銀インキとするのが一般的である。
【００２６】
また、上記スクラッチ隠蔽層（２０）として、乾燥性等作業適性を考慮したスクラッチ転写箔を転写する方法により得ることもできる。このスクラッチ転写箔の一般的な構成は、例えば図４の側断面模式図に示すように、ＰＥＴフィルムでなるベースフィルム（５０）上に、剥離層（５２）、アルミニウム蒸着層（５４）、アンカーコート層（５６）、接着層（５８）の順で積層されている構成のスクラッチ転写箔（５）を、この接着層（５８）面を下にしてロール転写あるいはホットスタンプにて保護層（１３）上に部分転写し、ベースフィルム（５０）を剥離してスクラッチ隠蔽層（２０）とすることもできる。
【００２７】
上記のようにして得られたセキュリティ情報記録媒体（１）は、発行側（銀行等）がダイレクトメール等で利用者本人に送付され、利用者本人は、スクラッチ隠蔽層（２０）をコイン等でスクラッチオフしてセキュリティ情報コード（１２）を視認し、このセキュリティ情報記録媒体（１）の口座番号等のＩＤ情報部（１４）とともにこのセキュリティ情報コード（１２）によりテレホンバンキングやインターネットバンキングのサービスを受けることができる。
【００２８】
【発明の効果】
本発明は以上の構成であるから、下記に示す如き効果がある。
即ち、上記請求項１に係る発明においては、磁気記録層を有するプラスチックカード媒体上の所定の位置に、該カード固有のセキュリティ情報コードが印字され、該セキュリティ情報コードと前記磁気記録層の磁気記録情報が対応しているセキュリティ情報記録媒体において、プラスチックカード媒体上に磁気記録層の口座番号等磁気記録情報とそれに対応するカード固有のセキュリティ情報コードが印字によって施されているように一つのカード媒体に一体化されているので、カード媒体とセキュリティ情報コード等の管理保管に煩雑さがなく、かつそのセキュリティ情報コードは保護層を介してスクラッチ隠蔽層で隠蔽されているので、利用者本人に届くまでのセキュリティの確保に万全なセキュリティ情報記録媒体とすることができ、従来のように発行側（銀行等）におけるセキュリティ情報コードの発行にダイレクトメール等で利用者に発送する別途業務をも削減でき、コストメリットにもつながるセキュリティ情報記録媒体である。
【００２９】
また、上記請求項２に係る発明においては、上記セキュリティ情報コードを覆っている保護層を易剥離性を有している易剥離剤で形成されていることによって、口座を所有する本人がセキュリティ情報コードの視認に際しスクラッチ隠蔽層のスクラッチオフ（引っ掻き落とす）がより容易に確実になるセキュリティ情報記録媒体とすることができる。
【００３０】
従って本発明は、磁気記録層を有するプラスチックカードで、特にテレホンバンキングやインターネットバンキング（パソコンバンキング）などのサービスを受けるためのキャッシュカード等でセキュリティ情報コード（番号等）を必要とするセキュリティ情報記録媒体として、優れた実用上の効果を発揮する。
【図面の簡単な説明】
【図１】本発明のセキュリティ情報記録媒体の一実施の形態を正面で表した説明図である。
【図２】本発明のセキュリティ情報記録媒体の一実施の形態を示すもので、図１のＡ−Ａ面を側断面で表した説明図である。
【図３】本発明のセキュリティ情報記録媒体の他の一実施の形態を側断面で表した説明図である。
【図４】本発明のセキュリティ情報記録媒体を構成するスクラッチ隠蔽層の一事例を側断面で表した説明図である。
【符号の説明】
１‥‥セキュリティ情報記録媒体
５‥‥スクラッチ転写箔
１０‥‥基材
１１‥‥磁気記録層
１２‥‥セキュリティ情報コード
１３‥‥保護層
１４‥‥ＩＤ情報部
１５‥‥絵柄印刷層
１６‥‥オーバーコート層
２０‥‥スクラッチ隠蔽層
５０‥‥ベースフィルム
５２‥‥剥離層
５４‥‥アルミニウム蒸着層
５６‥‥アンカーコート層
５８‥‥接着層
【図１】
2004058482.tif 000003
【図２】
2004058482.tif 000004
【図３】
2004058482.tif 000005
【図４】
2004058482.tif 000006